(57)【特許請求の範囲】
【請求項１】
ネット部材がかつらベースの少なくとも一部に構成されるかつらを頭部に止着するために用いる両面接着テープであって、両面の粘着層の少なくとも一方が、該ネット部材の線径の過半を埋没させる厚みで形成されていて、前記粘着層の他方が、該粘着層の一方と異なる厚みを有することを特徴とする、かつら止着用両面接着テープ。
【請求項２】
前記粘着層の一方が、前記ネット部材の線径と同等もしくはそれ以上の厚みで形成されることを特徴とする、請求項１に記載のかつら止着用両面接着テープ。
【請求項３】
前記粘着層の一方の厚みが、５０μｍを超え２００μｍの範囲で形成されていることを特徴とする、請求項２に記載のかつら止着用両面接着テープ。
【請求項４】
前記粘着層の他方が、頭髪の直径と同等もしくはそれ以上の厚みで形成されていることを特徴とする、請求項１に記載のかつら止着用両面接着テープ。
【請求項５】
前記粘着層の他方が、５０μｍ以上の厚みに形成されていることを特徴とする、請求項４に記載のかつら止着用両面接着テープ。
【請求項６】
ネット部材を少なくとも一部に有するかつらベースと、
上記かつらベースに植設した毛髪と、
芯材の両面にそれぞれ粘着層を有し、一方の粘着層を上記かつらベースに接着すると共に、他方の粘着層を使用者の頭部に接着するかつら止着用両面接着テープと、を備えたかつらであって、
上記かつら止着用両面接着テープの上記一方の粘着層が、上記ネット部材の線径の過半を埋没させる厚みで形成されており、
上記一方の粘着層を上記ネット部材の網目に入り込ませて該ネット部材に接着しており、
前記両面接着テープの他方の粘着層が、該両面接着テープの一方の粘着層と異なる厚みを有することを特徴とする、かつら。
【請求項７】
前記両面接着テープの一方の粘着層が、前記ネット部材と同等もしくはそれ以上の厚みで形成されていることを特徴とする、請求項６記載のかつら。
【請求項８】
前記両面接着テープの一方の粘着層の厚みが、５０μｍを超え２００μｍの範囲で形成されていることを特徴とする、請求項７に記載のかつら。
【請求項９】
前記両面接着テープの他方の粘着層が、頭髪の直径と同等もしくはそれ以上の厚みで形成されていることを特徴とする、請求項６〜８の何れかに記載のかつら。
【請求項１０】
前記両面接着テープの他方の粘着層が、５０μｍ以上の厚みに形成されていることを特徴とする、請求項９に記載のかつら。
【発明の詳細な説明】
【技術分野】
【０００１】
本発明は両面接着テープに係り、典型的にはヘアファッション用あるいは増毛用などに好適なかつらを頭部に止着するために用いる両面接着テープと、この両面接着テープを用いたかつらに関する。
【背景技術】
【０００２】
かつらは、一般に、軟質の合成樹脂材料で成形した人工皮膚製或いはネット部材を主体としたかつらベースとこのかつらベースに植設した多数の毛髪とで構成されている。かつらを装着した時の通気性と軽さを指向すると、かつらベースに植設する毛髪の重量を軽減化することはもとより、かつらベースの重量を如何に軽く作製するかに考慮を払わなければならない。かつらベースの軽量化のために、人工皮膚製のかつらベースの一部、例えば天頂部や両サイドなどをくり抜き、このくり抜き部分にネット部材を結合して部分的にネット部材のかつらベースとしたり、或いはかつらベース全体をネット部材で構成し、周囲を合成樹脂製の補強部材で縁取りして補強したものなど、従来から種々の技術開発がなされてきた。また、かつらの軽量化と通気性を確保し、自然な生え際を呈させるために生え際をネット部材で構成したかつらベースも、例えば特許文献１で開示された技術をはじめとして、種々に存在する。
【特許文献１】特開昭６２−２１５００２号公報
【０００３】
ところで、かつらを頭部へ装着するには、かつらが頭部からずれたり容易に外れたりしないよう、かつらベースの裏面と頭部との間を止着手段によって確実に止着しなければならない。従来、このような止着手段として、市販されている液状又は粘性の接着剤や市販の両面接着テープ或いはかつら止着専用の挟着具などがあり、何れかの手段で頭部へ固定するようにしている。専用の挟着具を用いれば、かつらの着脱が容易である。この挟着具は、典型的には、櫛歯状の複数の突片を備えた反転部材をかつらベースの裏面に固定し、該突片を頭髪に挿し入れて反転部材の反転作用を利用して自毛に挟着するようになっている。この挟着具は使用者の頭髪を利用するものであるため、頭部の固着箇所に頭髪の残毛が少ない場合などには不適当である。
【０００４】
かつらを頭部に止着するのに、液状又は粘性の接着剤を用いる場合は、これを頭皮とかつらベース裏面との間に塗布して貼り付けるため、皮膚との反応性がなく、かぶれなどの炎症を起こしにくい医療用のものを用いる。しかし、かつらを外すときに、頭皮に接着した接着剤をシンナーなどの剥離液を用いて剥がさなければならないため、皮膚が物理的にも化学的もダメージを受けがちであり、取外し作業も面倒である。
【０００５】
両面接着テープの場合は剥離液は殆ど必要とならず、液状又は粘性の接着剤を用いる場合に比ベてかつらの着脱がより簡易である。両面接着テープは、通常、厚さが３０μｍ程度のポリエチレンフィルム製の芯材の両面に粘着剤を塗布し、その各表面を剥離紙で貼り合わせてロール状にしたものが市販されている。このロール状の両面接着テープを適宜長さに裁断して剥離紙を取り除き、一方の粘着面を人工皮膚製のかつらベースの裏面又はネットベース裏面に取り付けた合成樹脂製の補強部材に、例えば前後左右の４か所で貼り付けるとともに、他方の粘着面を頭皮や頭髪に貼り付けてかつらを固定する。両面接着テープの粘着剤の層厚は、通常、３０μｍ〜５０μｍ厚程度の低アレルギー性アクリル系の医療用粘着剤が用いられ、上記芯材の両面にそれぞれ平滑に塗布されている。
【発明の開示】
【発明が解決しようとする課題】
【０００６】
ところで、かつらベースの全体又は一部をネット部材で構成する場合（これを以下、ネットベースと称することもある。）、ネット素材として、ナイロン，ポリエステル等の、直径が約１００μｍ〜１５０μｍ程度のフィラメントを用い、このフィラメントで菱形や矩形状の空間を有するよう網目をもったシート状に形成し、使用者の頭部膨出状態に沿った形状に成形してネットベースとしており、このネットベースに多数の毛髪を植設してかつらを形成している。かつらの使用者は、装着時にネットベースがしわになったりたるまないようにその周囲を外方へ引っ張りながら、ネットベース裏面の所定箇所に付設した挟着具や、頭皮に塗布した液状又は粘性の接着剤、或いは両面接着テープを用いて頭部に固定する。
【０００７】
このように、ネットベースを周囲方向に外力を加えながら展張しつつかつらを装着するため、細いフィラメントで構成したネット部材に過度の引張力がかかって、ネットベースの歪みや破損を招きやすい。そのため、ネットベースの負荷がかかり易い部分、とくにその周縁部にやや硬質のプラスチック製の補強部材を固定することが必要である。加えて、ネットベースの裏面所定箇所に接着剤を塗布したり又は挟着具を取り付けるためには、軟質の合成樹脂や布材などの別部材で止着手段用の止着台座を製作し、この止着台座をネット部材の裏面所定箇所に設けなければならない。この止着台座は接着剤や挟着具を取り付けるためのものであるから、一般に、幅広の合成樹脂や布材で肉厚に形成し、これをネットベース裏面の周囲数カ所に頑強に縫着することになるため、この部分が重く且つ肉厚にならざるを得ない。また、ネットベースに上記補強部材や止着台座などを設けると、その部分の網目が塞がれてしまって通気性が阻害され、蒸れや歪み或いは劣化の原因となる。
【０００８】
したがって、ネットベースの軽量化及び通気性を重視すると、補強部材や止着台座を設けない方が望ましい。このため、補強部材や止着台座を介することなくネットベースに直接、止着手段を設けようとすると、このような止着手段としては、接着剤や挟着具に代えて、両面接着テープを利用するほかない。何故なら、ネット部材を構成する細い径のフィラメントに挟着具を直接設けようとすると、この挟着具を複数のフィラメントに引っ掛けて縫着することになるが、ネットベースを周囲に引っ張りながら挟着具を頭部の自髪に挟着しようとすると、細いフィラメントに過度の張力が生じ、フィラメントの交点の解離やフィラメント自体の切断などが生じてネットベースの破損を招いてしまう。のみならず、この挟着具がかつらの外側から、毛髪の隙間を通して容易に視認されてしまう。一方、液状又は粘性の接着剤を用いて頭皮や頭髪にネットベースと直接接着しようとしても、ネットベースのフィラメントと使用者の頭部とは実質的に線状にしか接触し得ない。そのため、フィラメントと頭部との線状の接着だけではかつらが頭部から簡単に外れてしまい、実用に適さない。
【０００９】
そこで、本発明者らは、市販の医療用両面接着テープを用い、一方の粘着面をネットベース裏面の所定箇所に直接、貼り付けることを試みた。この場合、両面接着テープの一方の粘着面をネット部材を構成する各フィラメントに対して直接貼り付け、また、両面接着テープの他方の粘着面を装着者の頭皮及び頭髪に貼り付けて固定してみた。このようにして固定したとき、かつらが頭部に確実に固着されるのであれば、わざわざかつらベース裏面に合成樹脂や布製の補強部材，止着台座を設ける必要がなく、その結果、通気性が十分に確保されるとともに、軽量化も達成することができる筈である。
【００１０】
しかしながら、本発明者らは種々の実験を繰り返したところ、両面接着テープの一方の粘着面をネット部材に直接貼り付けようとしても、ネット部材を構成するフィラメントの断面が円状であるため、液状又は粘性の接着剤の場合と同様、線接触でしか貼り付くことができないことが分かった。これは、市販の医療用両面接着テープの一方の粘着層の厚さが３０〜５０μｍ程度であるのに対して、ネット部材を構成するフィラメントは一定の強度を必要とするから、通常、１００〜１５０μｍ程度のものを用いているため、両面接着テープの粘着層をネット部材に対して圧接しても、せいぜい丸い断面のフィラメントの一辺に沿って線状にしか接着できないからである。
【００１１】
また、それに加えて、交差する各フィラメント間に形成される網目、すなわち格子状のネット目は空間であることから、大部分の粘着面は役に立つことができず、僅かにフィラメントの線方向でしか貼り付けることができないので、接着力が弱く、かつらを装着した場合に容易に頭部から外れてしまうことが分かった。これは両面接着テープの粘着剤の粘着力を強くしても同様であった。このようにネットベースのかつらに市販の医療用両面接着テープを適用しても、接着剤のネットベースへの付着力が弱すぎて実用的でないことが確認された。
【００１２】
また、上記市販の医療用両面接着テープをネットベースに適用したものを試作して、かつら装着時の状態を外側から観察してみると、ネットベースに植設した毛髪の隙間を通して、交差する各フィラメントの網目から頭皮が透けて見えるのであるが、両面接着テープを貼り付けた箇所では、各フィラメントの網目から両面接着テープの上記一方の平滑な粘着面が光ってしまい、観察者にこの不自然な輝光が視認されて、このてかりのため粘着面の部分が白く浮き上がって見え、その結果、両面接着テープの存在が容易に知られてしまうことも分かった。
【００１３】
このように、ネットベースで成るかつらを両面接着テープを用いて頭部に装着しても、ネットベースに対して線状にしか接着し得ないため十分な定着力が得られず、さらに、両面接着テープの粘着面が平滑であるため、かつら内に通過した光がかつらの毛髪を通してネットベースの裏面に貼られている両面接着テープの上記平滑な粘着面に当たって反射してしまい、両面接着テープが視認されてしまう等の課題があった。
【００１４】
本発明は以上の点に鑑み、ネット部材から構成されたかつらベースに対しても十分な接着力が得られると共に、かつら装着時に存在が露見されにくいかつら止着用両面接着テープと、この両面接着テープを備えた良好な外観見栄えを呈するかつらを提供することを目的としている。
【課題を解決するための手段】
【００１５】
上記目的を達成するため、本発明のかつら止着用両面接着テープは、ネット部材がかつらベースの少なくとも一部に構成されるかつらを頭部に止着するために用いる両面接着テープであって、両面の粘着層の少なくとも一方が、ネット部材の線径の過半を埋没させる厚みで形成されていることを特徴とする。
特に、粘着層の一方がネット部材の線径と同等もしくはそれ以上の厚みで形成される。
特に、粘着層の一方の厚みが、５０μｍを超え２００μｍの範囲で形成されている。
特に、粘着層の他方が、頭髪の直径と同等もしくはそれ以上の厚みで形成されている。
特に、粘着層の他方が、５０μｍ以上の厚みに形成されている。
特に、粘着層の他方が、粘着層の一方と異なる厚みを有する。
【００１６】
上記目的を達成するために、本発明のかつらは、ネット部材を少なくとも一部に有するかつらベースと、かつらベースに植設した毛髪と、芯材の両面にそれぞれ粘着層を有し、一方の粘着層を上記かつらベースに接着すると共に、他方の粘着層を使用者の頭部に接着するかつら止着用両面接着テープと、を備えたかつらであって、かつら止着用両面接着テープの一方の粘着層が、ネット部材の線径の過半を埋没させる厚みで形成されており、一方の粘着層をネット部材の網目に入り込ませてネット部材に接着したことを特徴とする。
特に、両面接着テープの一方の粘着層が、ネット部材と同等もしくはそれ以上の厚みで形成されている。
特に、両面接着テープの一方の粘着層の厚みが、５０μｍを超え２００μｍの範囲で形成されている。
特に、両面接着テープの他方の粘着層が、頭髪の直径と同等もしくはそれ以上の厚みで形成されている。
特に、両面接着テープの他方の粘着層が、５０μｍ以上の厚みに形成されている。
特に、両面接着テープの他方の粘着層が、両面接着テープの一方の粘着層と異なる厚みを有する。
【発明の効果】
【００１７】
本発明によれば、両面接着テープの粘着層の、少なくともネットベースに接着する側の肉厚を厚く、すなわち、ネット部材の線径の過半を埋没させる程度の肉厚に形成することで、かつら裏側から両面接着テープがネット部材に接着された際、粘着剤がネット部材を構成するフィラメント間の網目まで入り込み、そして、各フィラメントを包んで周面で面状に接着されることになるので、高い接着力を確保することができる。
即ち、止着用両面接着テープの一方の粘着層を肉厚に形成したので、かつら裏側に接着した際、粘着層がかつらベースの網目に入り込み、フィラメントに面状に接着されるため高い止着性が確保される。
【発明を実施するための最良の形態】
【００１８】
本発明は、以下の詳細な発明及び本発明の幾つかの実施の形態を示す添付図面に基づいて、より良く理解されるものとなろう。なお、添付図面に示す種々の実施例は本発明を特定または限定することを意図するものではなく、単に本発明の説明及び理解を容易とするためだけのものである。
以下、図面に基き、本発明によるかつら止着用両面接着テープおよびこれを備えたかつらの好適な実施の形態を説明する。
【００１９】
図１は、本発明によるかつら止着用両面接着テープを備えたかつら１００の構成例を示している。両面接着テープ１０は、かつらを頭部に止着するために用いられるが、この実施形態では、たとえば図１に示すように、使用者の頭部の湾曲状に沿って上面がやや膨出した形状の所謂部分かつら１００に使用される。図示の例では、両面接着テープ１０は、部分かつら１００の内面側、即ち裏面側の周縁に沿って断続的に複数箇所に配置されており、両面接着テープ１０の一方の粘着面が部分かつら１００の裏側からこのかつら１００に接着され、他方の粘着面が使用者の頭部に接着される。
【００２０】
部分かつら１００は、全体が網目状のネット部材でなるかつらベース１０１に毛髪１０２を植毛して構成されている（図１には、毛髪１０２が数本だけ描かれているが、実際は、かつらベース１０１の全表面に多数本植毛されている。）。なお、かつらベース１０１は、図示のように全体をネット部材で構成することなく、例えば分髪部やつむじ部に相当する箇所を部分的に柔軟な合成樹脂製の人工皮膚で形成し、この人工皮膚部と残余のネット部材とを接合して全体形状がキャップ状に構成されたものであってもよく、或いは、両面接着テープ１０が接着される箇所だけをネット部材で構成し、他の大部分を人工皮膚で構成したものであってもよい。本発明のかつら止着用両面接着テープ１０は、かつらベースがとくにネット部材で成る場合に好適に使用されるが、勿論これに限定されることなく人工皮膚その他の素材のかつらに適用してもよい。また、本発明に適用し得るかつらは、図１に示すような頭部を部分的に覆う部分かつら１００であっても、また、使用者の頭部全体に被せるタイプの所謂、全かつらであっても構わない。
【００２１】
図１に示す部分かつら１００のかつらベース１０１は、全体がネット部材で構成されており、このネット素材は、ナイロン糸やポリエステル糸の単繊維又は撚り糸で成るフィラメント１０３を用い、このフィラメント１０３を、図１のＣ部拡大図に示すように、菱形や矩形状の空間でなる格子状の網目１０４を有するように組んで、使用者の頭部膨出状態に沿った形状に軽量に形成されている。ネット部材を構成するフィラメント１０３の材料及び繊度（デニール）や番手は、適宜のものを選択使用できるが、かつらベースをネットベースにする場合は、通気性と軽さが最も重要な要素になるため、ネットベースをできるだけ軽量に成形するには、フィラメント１０３の径が細ければ細いほど有利になる。また、フィラメント径が細ければそれだけ、外部から視認され難くなり有利である。しかし、細くなればなるほど破断力が低下するので、かつらのネットベースとしては、例えばナイロン，ポリエステル等の、直径が約１００μｍ〜１５０μｍ程度のフィラメント１０３で構成するのが一般的である。ただし、フィラメント１０３の直径がこれ以上細いものであっても、本発明は十分に適用可能である。
【００２２】
このフィラメント１０３で、網目１０４を有するように予め平織りやチュール織りなどで形成した偏平なシートを所定の頭部形状に沿ってキャップ形状に膨出させて成形したものをかつらベース１０１とするか、または、フィラメント１０３を経糸と緯糸に配置してこれらの交点を熱溶着等するとともに、キャップ形状に膨出させて成形したものをかつらベース１０１とする。
【００２３】
また、経糸と緯糸との組み合わせで構成されるフィラメント１０３の網目１０４の大きさは、植毛する毛髪のボリュームによって適宜のサイズとすることができる。一般に、毛量を多くしたい場合は、なるべく目の細かい網目１０４にすればよく、或いは、使用者の頭髪を網目から引き出してかつらの毛髪と混合して活用しようとする場合は網目のサイズを大きく、例えば１ｃｍ２以上に設定すればよい。植毛する毛髪１０２は、フィラメント１０３の経糸と緯糸にそれぞれ結着又は接着等で締結し、場合によりその交点にも毛髪１０２を結着することができる。何れの場合においても、形成される網目１０４には当然ながら毛髪１０２を植毛することができないので、使用者がかつらを装着したとき、この網目１０４を通して着用者の頭部（頭皮や頭髪）が毛髪１０２の隙間等から視認されがちである。従って、かつらベース１０１の裏面からネット部材に接着する両面接着テープ１０も、毛髪１０２の隙間を通して視認され得ることになるので、フィラメント１０３の網目１０４に位置する粘着面の反射（てかり）が問題となるが、本発明では、後述するように、両面接着テープ１０の粘着面の表面が艶消し処理されていることによって乱反射され、不自然な輝光が生じない。したがって、かつらの外側から毛髪等の隙間を通して両面接着テープ１０の存在が視認される虞れが軽減する。
【００２４】
つぎに、本発明のかつら止着用両面接着テープの具体的構成を図２および図３を参照して説明する。
図２（ａ）はかつら止着用両面接着テープ１０の平面図、同（ｂ）はその断面図、同（ｃ）は図２（ｂ）のＢ部を拡大して示す詳細図である。図２（ｂ）から明らかなように、両面接着テープ１０は、たとえばポリエチレンフィルム製の透明な芯材１１の両側において、その両表面に粘着層１２，１３がそれぞれ形成されている。粘着層１２，１３は、人体に使用するものであるため、医療分野で適用される低アレルギー性の透明なアクリル系粘着剤が好適である。両面の粘着層１２，１３の少なくとも一方の表面には艶消し処理が施されている。本例では、芯材１１の両側面の粘着層１２，１３の表面がともに艶消し処理されているものとするが、少なくとも、かつらベース１０１に接着する側の粘着層１２（以下、これを一方の粘着層と称する。）だけに艶消し処理が施されていればよい。さらに、図示を省略するが、一方の粘着層１２と他方の粘着層１３の上から、それぞれ保護層もしくは保護膜として剥離紙（図示せず）が密着される。剥離紙は両面接着テープ１０の使用に際して粘着層１２，１３から剥離される。そのため、剥離紙にはシリコーン樹脂が塗布される。
【００２５】
なお、芯材１１および粘着層１２，１３は透明のものに限らず、頭皮の色や、例えば乳白色や肌色などネットベースの色彩と同系色に着色されていてもよく、外部からかつらベースが視認され難い迷彩色性を備えていれば好ましい。
【００２６】
粘着層１２，１３の表面に施される艶消し処理は、該粘着層１２，１３の表面を図２（ｃ）（図２（ｂ）のＢ部）のように微小凹凸１２ａを形成することにより行なわれる。この艶消し処理としては、例えばエンボス加工が好適である。エンボス加工を行なう場合、微小凹凸状の表面をもつ転写型を用いて直接粘着層に微小凹凸１２ａを形成してもよく、或いは剥離紙（図示せず）を密着した上からエンボス加工を行ってもよい。粘着層の微小凹凸（エンボス加工）は表面粗さ（Ｒａ）として、可視光（０．３８μｍ〜０．７６μｍ）の乱反射がよく起きるように、光の波長よりも十分に大きくし、例えば、２〜１０μｍとすることが望ましい。約４μｍ程度に形成されていれば十分である。
【００２７】
ここで、両面接着テープ１０の粘着層１２，１３表面に微小凹凸１２ａ，１３ａを付与する場合の二，三の例を挙げる。
【００２８】
第１は、表面に微小突起を形成した押し型具で粘着層１２，１３表面又は剥離紙の上から押圧することで、粘着層表面に微小凹凸を付与する方法である。この押し型具は、平板形，ローラ形を問わないが、その表面に上記した光の波長よりも十分に大きい、例えば約４μｍ程度の表面粗さの微小突起が形成されており、この押し型具を両面接着テープ１０の粘着層１２，１３表面に直接か又は粘着層上に剥離紙を密着した状態で、この上から押圧して微小凹凸１２ａ，１３ａを形成する。
【００２９】
第２は、両面接着テープ１０用の芯材１１に対して、適当な粘度を有する粘着剤をスプレー塗布して、微小凹凸を付与する方法である。粘着剤に適度の粘性があれば、細かい粒状のまま芯材表面に残り、微小凹凸を形成することができる。
【００３０】
第３は、両面接着テープ１０の粘着層１２，１３表面に直接、又は剥離紙の上からブラスト加工を施す方法である。この場合、ブラスト材（研磨材）としては、サンドではなくドライアイスや氷の微細粒子を用いて行うことで、粘着層に凹凸加工を付与した後でブラスト材としてのドライアイスや氷が溶けるので、粘着層１２，１３又は剥離紙の表面に研磨材が残存することがない。
【００３１】
これらの方法を適宜に用いることで、両面接着テープ１０の作製時、或いは入手した市販の両面接着テープ１０に対して、粘着層１２，１３表面に微小凹凸を付与することができる。
【００３２】
さらに、本発明の両面接着テープ１０の第２の特徴は、図３に示すように、両面の粘着層１２，１３のうちの少なくとも一方の粘着層１２が、ネットベース１０１を構成するフィラメント１０３の線径の過半を埋没させる厚みで形成されていることである。
【００３３】
かつらベース１０１において、ネット部材を構成するフィラメント１０３の線径は、上記したように通常、約１００μｍ〜１５０μｍ程度のものを用いており、少なくとも、このフィラメント１０３に接着する側の、両面接着テープ１０の一方の粘着層１２が、本発明では、フィラメント１０３の直径の少なくとも１／２以上の厚み、すなわち５０μｍ〜７０μｍ以上の肉厚に設定されている。このように、一方の粘着層１２がフィラメント１０３の直径の少なくとも１／２以上の厚みを備えることによって、両面接着テープ１０の一方の粘着層１２をネットベースに押しつけたとき、粘着層１２の中にフィラメント１０３のほぼ下半分が包まれるように面状に接着されることになり、従来の線状に接着される場合に比べて、十分な接着強度が得られる。
【００３４】
さらに好ましくは、両面接着テープ１０の一方の粘着層１２は、図４に示すように、ネットベース１０１に使用するフィラメント１０３の線径（直径）とほぼ同等又はそれ以上の厚みをもつような肉厚に設定される。これにより、フィラメント１０３がほぼ全周囲方向で包囲されるように接着されるので、極めて強力な接着力が得られる。要は、ネットベースを構成するフィラメントの線径との比で粘着層１２の肉厚を設定すればよい。
【００３５】
ここで、図２（ｂ）に示すように、両面接着テープ１０の芯材１１の厚さｔ１は、一般に、３０μｍ程度のものが用いられており、厚肉に形成する一方の粘着層１２は、フィラメントの直径を考慮すると、ｔ２＝５０μｍ〜２００μｍ程度、好ましくは１５０μｍ程度とする。例えば直径１３０μｍ程度のナイロンフィラメントをネット部材として構成する場合、両面接着テープ１０の一方の粘着層１２をｔ２＝１５０μｍ程度に形成し、この粘着層１２をナイロンモノフィラメントに押しつけて接着すると、ナイロンモノフィラメント１０３が一方の粘着層１２の中まで侵入して、フィラメント１０３の周面の一部又は全周まで覆われ、フィラメントの周面にわたって面状に接着される。そして、フィラメント１０３の網目１０４まで粘着層１２が入り込んで定着されることになる。ここで、上記一方の粘着層１２の厚みｔ２が厚すぎると、フィラメント及びその網目が完全に埋没してしまって、かつらベース１０１から剥離し難くなり取扱いがやっかいであるとともに、ネットの網目から粘着層１２が上方へはみ出して、植毛した毛髪１０２に接着したりする。また、例えば５０μｍ以下の肉薄であると、面状の接着を確保できない。
【００３６】
一方、両面接着テープ１０の頭部側に接着される他方の粘着層１３は、必ずしも上記のような厚みに設定する必要はなく、市販の両面接着テープ１０の通常の３０μｍ程度の厚みを備えていればよい。何故なら、頭部は一般に多少の凹凸はあっても一般に平面状を呈しているから、他方の粘着層１３は面で接着するからである。しかし、他方の粘着層１３を頭髪の上から押しつけて接着する場合、頭髪の通常の直径が５０〜１００μｍであることを考慮すると、他方の粘着層１３の厚みが上記の５０μｍ〜１５０μｍ程度の肉厚に設定されていれば、頭部Ｈへの接着力が十分に発揮されるので好ましい。
【００３７】
なお、図１に示すように、この実施形態ではかつらベース１０１の周縁部に沿って設定される止着箇所に、図示のように所定ピッチ間隔で複数の両面接着テープ１０を貼着して頭部適所に止着する。
【００３８】
本発明のさらに好ましい態様によれば、図５に示すように、上記両面接着テープ１０の粘着層１２，１３、とくに、かつら１００側に接着する一方の粘着層１２は、上記したように、フィラメント１０３の直径の少なくとも１／２以上の厚み、例えば、５０μｍ〜７０μｍ以上の肉厚に設定されるとともに、好ましくは、当該一方の粘着層１２の表面が、既述したように艶消し処理されて成る。これにより、一方の粘着層１２はネットベースに確実に接着されると共に、フィラメント１０３の間に形成される網目１０４を通して、この粘着層１２の表面がかつらの外側から見えたとしても、乱反射されて粘着層が視認されることがなく、粘着剤が透明であれば恰も頭皮がそのまま見える外観を呈する。図６に示すように、かつら１００側に接着する一方の粘着層１２を、フィラメント１０３の直径と同等程度に形成すれば、フィラメント１０３の全周囲を接着することができるので、グリップ性能がさらに向上する。
【００３９】
図７は、一方の粘着層１２を肉厚に形成するとともに、その表面に微小凹凸１２ａを形成した両面接着テープ１０の断面図であり、この両面接着テープ１０を用いて、かつら１００を頭部Ｈに止着した状態を示している。かつらベース１０１には毛髪１０２が植毛されており、一方の粘着層１２をかつらベースを構成するフィラメント１０３に接着するとともに、他方の粘着層１３を頭部Ｈに接着している。このように頭部Ｈに装着されたかつら１００において、粘着層１２，１３の表面に艶消し処理が施されているため光が当たって反射するのを防ぎ、かつら内側に両面テープが接着されているのが外部からは分からず良好な外観見栄えが呈される。また、両面接着テープ１０は透明であるためそれ自体の色が外部から透けて見えることはなく、この点でも見栄えを向上することができる。ここで、網目１０４の中に入り込んだ粘着層１２が微小凹凸状の表面を有しているので、外部からの光が当たっても凹凸表面で乱反射され、反射光が光って不自然なてかりが生じるのが抑えられる。
【００４０】
また、両面接着テープ１０をかつら１００の内側に接着すると、粘着層１２がかつらベース１０１の網目１０４に入り込み、フィラメント１０３の周囲を面状に包んで接着するので高い止着性が確保される。すなわち、粘着層１２は、かつらベース１０１のネット部材の線径のほぼ１／２、好ましくは、それと同等もしくはそれ以上の厚さに設定されているため、ネット部材の網目１０４に入り込んでかつらベース１０１をしっかりと固定し、結合強度を有効に高めることができる。
【００４１】
次に、かつら止着用両面テープおよびこれを備えたかつらの具体的実施例と比較例について述べる。
【実施例１】
【００４２】
両面接着テープ１０は、ポリエチレンフィルム製の厚さが３０μｍの透明な芯材１１の両面に低アレルギー性の透明なアクリル系粘着剤をそれぞれ１５０μｍ厚さに堆積して粘着層１２，１３を形成した。粘着層１２，１３の表面に施される艶消し処理は、エンボス加工により表面粗さ（Ｒａ）として、約４μｍ程度とした。
【００４３】
図８は、両面接着テープ１０の粘着層に形成された微小凹凸表面を示す走査型電子顕微鏡（ＳＥＭ）写真である。電子の加速電圧は１５ｋｅＶで、倍率は２００倍である。図示するように、粘着層１２の表面に微小凹凸が形成されていることが分かる。この粘着層１２に光を照射したところ、粘着層１２の表面からの反射は観察されなかった。なお、他方の粘着層１３も粘着層１２と同様な表面状態と艶消し処理効果が得られた。
【実施例２】
【００４４】
上記の両面接着テープ１０をかつら１００に接着させた。かつら１００のかつらベース１０１は、ナイロン６の糸径１３０μｍのフィラメント１０３を平織り組織状にしたネットを用いた。ネットの網目の大きさ、即ち糸と糸の間の距離を示すオープニングは、７１６．７μｍである。両面接着テープ１０の粘着層１２は１５０μｍ厚、その表面にはエンボス加工により微細凹凸が形成されている。ここで、オープニング（μｍ）＝２５４００／メッシュ数（インチ）−糸径、で表される。
【００４５】
図９は、かつらベース１０１と両面接着テープ１０の接着状態の走査型電子顕微鏡（ＳＥＭ）写真である。電子の加速電圧は１５ｋｅＶで、倍率は５０倍である。図において、かつらベース１０１を上側に、両面接着テープ１０の粘着層１２を下側にしたときの表面を観察している。かつらベース１０１のネットに用いたナイロン６の格子状のフィラメント１０３が粘着層１２に食い込み、面接触していることがわかる。
【００４６】
このかつら１００を被試験者に装着させて両面接着テープ１０の接着強度と外観観察を行った。かつらベース１０１のネットと被試験者の頭皮及び毛髪への両面接着テープ１０の接着強度は良好で、また、両面接着テープ１０の周囲からの光の反射は観察されなかった。さらに、かつら１００を装着しない別の被試験者に観察させても、両面接着テープ１０によりかつら１００を装着していることは分からず、見栄えがよいことが判明した。
【実施例３】
【００４７】
上記の両面接着テープ１０をかつら１００に接着した。かつら１００のかつらベース１０１は、ナイロン６の糸径９３．３μｍのフィラメント１０３を撚り組織状にしたネットを用いた。ネットの網目１０４の大きさ（オープニング）は１７００μｍである。
【００４８】
図１０は、かつらベース１０１と両面接着テープ１０の接着状態の走査型電子顕微鏡（ＳＥＭ）写真である。電子の加速電圧は１５ｋｅＶで、倍率は５０倍である。図において、かつらベース１０１を上側に、両面接着テープ１０の粘着層１２を下側にしたときの表面を観察している。粘着層１２の厚さは、実施例２と同様に１５０μｍ厚、その表面には微小凹凸が形成されている。かつらベース１０１のネットに用いたナイロン６の格子状のフィラメント１０３が粘着層１２に食い込み、面接触していることがわかる。
【００４９】
このかつら１００を被試験者に装着させて両面接着テープ１０の接着強度と外観観察を行った。かつらベース１０１のネットと被試験者の頭皮及び毛髪への両面接着テープ１０の接着強度は良好で、また、両面接着テープ１０の周囲からの光の反射は観察されなかった。さらに、かつら１００を装着しない別の被試験者に観察させても、両面接着テープ１０によりかつら１００を装着していることは分からず、見栄えがよいことが判明した。
【００５０】
（比較例１）
従来の両面接着テープは、粘着層の表面に艶消し加工を行わなかった。ポリエチレンフィルム製の厚さが３０μｍの透明な芯材１１の両側に低アレルギー性の透明なアクリル系粘着剤を５０μｍの厚さで塗布した市販されている通常の粘着層を形成し、保護膜として剥離紙を密着させた。
【００５１】
図１１は艶消し処理を行っていない従来の両面接着テープ１０の粘着層表面の走査型電子顕微鏡（ＳＥＭ）写真である。電子の加速電圧は１５ｋｅＶで倍率は２００倍である。図示するように、粘着層の表面には凹凸が形成されず平坦な表面であることが分かる。この粘着層に光を照射したところ、図８で示した本発明の実施例の場合と異なり、粘着層の平滑な表面からの反射が観察された。
【００５２】
（比較例２）
比較例１の従来の両面接着テープをかつら１００に接着した。かつら１００のかつらベース１０１は、ナイロン６の糸径１３０μｍのフィラメントを平織りにしたネットを用いた。ネットの網目は、３０本×３０本／１インチ（２．５４ｃｍ）である。図１２はかつらベース１０１と両面接着テープ１０の接着状態の走査型電子顕微鏡（ＳＥＭ）写真である。電子の加速電圧は１５ｋｅＶで、倍率は５０倍である。図において、かつらベース１０１を上側に、従来の両面接着テープの粘着層を下側にしたときの表面を観察している。図９に示す本発明の実施例２の場合と異なり、かつらベース１０１のナイロン６の格子状のフィラメントが、従来の両面接着テープの粘着層と、部分的にしか接着していないことが分かる。つまり、従来の両面接着テープにおいては、ネット部材の網目の下部にあるナイロン６で成るフィラメントが線接触でしかも部分的にしか粘着層と接着していない。このため、従来の両面接着テープは、かつらベース１０１のネット及びかつらの装着者の頭皮及び毛髪への密着が悪い。また、従来の両面接着テープの粘着層が凹凸を有していない平坦な面であるので、光が当たると反射が生じた。
【００５３】
（比較例３）
比較例１の両面接着テープをかつら１００に接着した。かつら１００のかつらベース１０１は、ナイロン６の糸径１３０μｍの糸をチュール織りにしたネットを用いた。フィラメントの網目は、３０本×３０本／１インチ（２．５４ｃｍ）である。図１３は、かつらベース１０１への両面接着テープ１０の接着状態の走査型電子顕微鏡（ＳＥＭ）写真である。電子の加速電圧は１５ｋｅＶで倍率は５０倍である。図において、かつらベース１０１を上側に、従来の両面接着テープの粘着層を下側にしたときの表面を観察している。
【００５４】
図１０に示す本発明の実施例３の場合と異なり、かつらベース１０１のネットに用いたナイロン６の格子状のフィラメントが、従来の両面接着テープの粘着層と単に線状に接触するだけで、部分的にしか接着していないことが分かる。つまり、従来の両面接着テープにおいては、かつら１００のかつらベース１０１のネットのチュール織の下部にあるナイロン６のフィラメントに線状でしかも部分的にしか粘着層と接着していない。このため、従来の両面接着テープは、かつらベース１０１のネット及びかつらの装着者の頭皮及び毛髪への密着が悪い。また、従来の両面接着テープの粘着層が凹凸を有していない平坦な面であるので、光が当たると反射が生じた。
【００５５】
以上、本発明の好適な実施の形態について説明したが、本発明は実施形態にのみ限定されるものでなく、本発明の範囲内で適宜変更等が可能である。たとえば、両面接着テープの両側の粘着層１２，１３の表面には艶消し処理される例を説明したが、少なくともいずれか一方、特にかつら１００側に配置される粘着層１２のみに艶消し処理を施すようにしてもよい。また、艶消し処理を行なうための微小凹凸は、エンボス加工に限らずその他の形状等が可能である。また、本発明の両面接着テープは、かつらベースの少なくとも一部にネット部材が配置されこのネット部材に対して接着すれば特に有利であるが、人工皮膚製のかつらベースにも通常の両面接着テープと同様に適用できることは勿論である。
【００５６】
なお、本発明の両面接着テープはかつらの止着用に止まらず、各種の物品に適用して、とくに、外部から見える側の被接着面の光沢を抑える場合に有効に適用可能である。さらに、上記実施形態で説明した具体的数値等は、必要に応じて適宜変更可能である。
【図面の簡単な説明】
【００５７】
【図１】本発明の実施形態におけるかつらを示す斜視図である。
【図２】本発明の実施形態における両面接着テープの構成を示す図である。
【図３】一方の粘着面にフィラメントが半分程度埋まって面状に接着された状態を示す断面図である。
【図４】一方の粘着面にフィラメントの全周が埋まって面状に接着された状態を示す断面図である。
【図５】両面接着テープにおいて、凹凸形状を形成した一方の粘着面でフィラメントを面状に接着し、他方の粘着面に頭髪を埋め込んだ状態の断面図である。
【図６】両面接着テープにおいて、凹凸形状を形成した一方の粘着面でフィラメントを全周で接着し、他方の粘着面に頭髪を埋め込んだ状態の断面図である。
【図７】本発明の実施形態における両面接着テープの使用時の様子を示す図である。
【図８】実施例１による、両面接着テープの一方の粘着層表面の走査型電子顕微鏡（ＳＥＭ）写真（２００倍）である。
【図９】実施例２による、平織りにしたネットベースと両面接着テープの接着状態の走査型電子顕微鏡（ＳＥＭ）写真（５０倍）である。
【図１０】実施例３による、チュール織りにしたネットベースと両面接着テープの接着状態の走査型電子顕微鏡（ＳＥＭ）写真（５０倍）である。
【図１１】比較例１による、従来の両面接着テープの一方の粘着層表面の走査型電子顕微鏡（ＳＥＭ）写真（２００倍）である。
【図１２】比較例２による、平織りにしたネットベースと従来の両面接着テープの接着状態の走査型電子顕微鏡（ＳＥＭ）写真（５０倍）である。
【図１３】比較例３による、チュール織りにしたネットと従来の両面接着テープの接着状態の走査型電子顕微鏡（ＳＥＭ）写真（５０倍）である。
【符号の説明】
【００５８】
１０：両面接着テープ
１１：芯材
１２，１３：粘着層
１００：かつら
１０１：ベース
１０２：毛髪
１０３：フィラメント
１０４：網目
Ｈ：頭部
【図１】
0005027096.tif 000002
【図２】
0005027096.tif 000003
【図３】
0005027096.tif 000004
【図４】
0005027096.tif 000005
【図５】
0005027096.tif 000006
【図６】
0005027096.tif 000007
【図７】
0005027096.tif 000008
【図８】
0005027096.tif 000009
【図９】
0005027096.tif 000010
【図１０】
0005027096.tif 000011
【図１１】
0005027096.tif 000012
【図１２】
0005027096.tif 000013
【図１３】
0005027096.tif 000014